(57)【要約】【課題】コードを貫通させたケースの防水性を確保することができるケースの防水構造を提供する。【解決手段】ケースの防水構造１０は、２枚以上の基板２と、基板２同士を接続するコード３と、基板２をそれぞれ収容する収容部４１を備える上ケース（第１のケース）４と、上ケース４と対をなして収容部４１を覆う下ケース（第２のケース）と、上ケース４と下ケースのいずれか一方に、収容部４１のそれぞれの周囲を囲んで設けられる防水壁部４２と、いずれか他方に設けられ、防水材が装着され防水壁部４２で押圧して防水する防水溝部と、を備え、防水壁部４２に設けられコード３を貫通させる貫通部４３と、貫通部４３に位置するコード３を押えるとともに、貫通部４３を塞いで防水壁部４２を連続させるコードカバー７と、を備える。【選択図】図４
2019009186.tif 000002
【特許請求の範囲】
【請求項１】
２枚以上の基板と、
前記基板同士を接続するコードと、
前記基板をそれぞれ収容する収容部を備える第１のケースと、
前記第１のケースと対をなして前記収容部を覆う第２のケースと、
前記第１のケースと前記第２のケースのいずれか一方に、前記収容部のそれぞれの周囲を囲んで設けられる防水壁部と、いずれか他方に設けられ、防水材が装着され前記防水壁部で押圧して防水する防水溝部と、を備え、
前記防水壁部に設けられ前記コードを貫通させる貫通部と、
前記貫通部に位置する前記コードを押えるとともに、前記貫通部を塞いで前記防水壁部を連続させるコードカバーと、を備える、
ことを特徴とするケースの防水構造。
【請求項２】
前記コードは、前記貫通部に位置する前記コードの周囲を防水するコードパッキンを備える、
ことを特徴とする請求項１に記載のケースの防水構造。
【請求項３】
前記コードカバーは、前記第１のケースと前記第２のケースの組み付けの際の前記コードの噛み込みを防止するカバー部を備える、
ことを特徴とする請求項１または２に記載のケースの防水構造。
【請求項４】
前記第１のケースと前記第２のケースには、前記収容部の間に距離を隔ててケースの外部に通じる空間が形成され、
前記コードカバーは、前記空間への前記コードのはみ出しを防止する、
ことを特徴とする請求項１乃至３のいずれかに記載のケースの防水構造。
【発明の詳細な説明】
【技術分野】
【０００１】
本発明は、ケースの防水構造に関する。
【背景技術】
【０００２】
機器などを収容するケースの防水構造として、例えば、下記特許文献１、２に開示されたものがある。
特許文献１、２に開示された車両用の計器では、上ケースと、下ケースとの間に、パッキンを装着する溝と、溝内のパッキンを押える押圧リブとを設けておき、上下のケースの組み付け状態でパッキンを押圧リブで押えることで、水滴や塵などの浸入を防止する防水性を確保している。通常、ケースは、一つの収容部に複数の基板などを収容して周囲を防水構造としている。
【先行技術文献】
【特許文献】
【０００３】
【特許文献１】特開２０１４−１７４０４３号公報
【特許文献２】特開２０１６−１０２７０６号公報
【発明の概要】
【発明が解決しようとする課題】
【０００４】
ところが、ケース内に、例えば２つの基板を、それぞれ収容部を設けて収容し、基板同士をコードで接続する場合には、収容部の防水構造を構成する部分を貫通させてコードを引き回す必要があり、防水性（防塵性を含む、以下同様）を確保することができないという問題がある。
【０００５】
本発明は上記課題に鑑みてなされたものであり、コードを貫通させたケースの防水性を確保することができるケースの防水構造を提供することを目的とする。
【課題を解決するための手段】
【０００６】
上記目的を達成するために、本発明に係るケースの防水構造は、
２枚以上の基板と、
前記基板同士を接続するコードと、
前記基板をそれぞれ収容する収容部を備える第１のケースと、
前記第１のケースと対をなして前記収容部を覆う第２のケースと、
前記第１のケースと前記第２のケースのいずれか一方に、前記収容部のそれぞれの周囲を囲んで設けられる防水壁部と、いずれか他方に設けられ、防水材が装着され前記防水壁部で押圧して防水する防水溝部と、を備え、
前記防水壁部に設けられ前記コードを貫通させる貫通部と、
前記貫通部に位置する前記コードを押えるとともに、前記貫通部を塞いで前記防水壁部を連続させるコードカバーと、を備える、
ことを特徴とする。
【発明の効果】
【０００７】
本発明によれば、コードを貫通させたケースの防水性を確保することができる。
【図面の簡単な説明】
【０００８】
【図１】本発明のケースの防水構造の一実施の形態に係り、建設機械のスイッチボックスに適用した部分拡大断面図である。
【図２】本発明の一実施の形態に係り、図１中のＡ−Ａ断面図である。
【図３】本発明の一実施の形態に係る部分背面図である。
【図４】本発明の一実施の形態に係る下ケースを除いた背面の部分斜視図である。
【図５】本発明の一実施の形態に係る図４の部分拡大図である。
【発明を実施するための形態】
【０００９】
本発明のケースの防水構造の一実施の形態について図面を参照して詳細に説明する。
本発明のケースの防水構造１０は、例えば建設機械のキャビン内に設置されるスイッチボックス１に適用される。
本発明のケースの防水構造１０は、２枚以上の基板２と、基板２同士を接続するコード３と、基板２をそれぞれ収容する収容部４１を備える第１のケース４と、第１のケース４と対をなして収容部４１を覆う第２のケース５と、第１のケース４と第２のケース５のいずれか一方に、収容部４１のそれぞれの周囲を囲んで設けられる防水壁部４２と、いずれか他方に設けられ、防水材６が装着され防水壁部４２で押圧して防水する防水溝部５１と、を備え、防水壁部４２に設けられコード３を貫通させる貫通部４３と、貫通部４３に位置するコード３を押えるとともに、貫通部４３を塞いで防水壁部４２を連続させるコードカバー７と、を備えて構成される。
【００１０】
本実施の形態のスイッチボックス１は、基板２として２つの回路基板２ａ，２ｂを備える。
スイッチボックス１は、複数の基板２を構成する例えば２つの回路基板のうち、一つの回路基板２ａは、例えば、キャビン内のエアコンのコントロールやラジオ・オーディオのコントロールなど、もう一つの回路基板２ｂは、例えば番号や数字などの入力用のテンキー、車両のコントロールやワイパーのコントロールなどをそれぞれ行う。
本発明のケースの防水構造１０は、スイッチボックス１での複数の基板２をそれぞれ上ケース４の収容部４１に収容して基板２同士をコード３で接続する場合に、収容部４１を貫通させてコード３を設けても上下ケース４、５の防水性を確保できるようにするものである。
【００１１】
基板２は、２つの回路基板２ａ，２ｂで構成され、例えば、ガラスエポキシ樹脂（Glass Fiber Reinforced Plastics）からなる絶縁性を有する板状の基材に各種配線がプリントされて構成される。回路基板２ａには、例えば、キャビン内のエアコンのコントロールやラジオ・オーディオのコントロールなどを行う図示しないそれぞれの操作用のスイッチ類や制御部、制御に必要な回路を構成する抵抗やコンデンサなどが実装される。また、回路基板２ｂには、例えば、番号や数字などの入力用のテンキー、車両のコントロールやワイパーのコントロールなどを行う図示しないそれぞれの操作用のスイッチ類や制御部、制御に必要な回路を構成する抵抗やコンデンサなどが実装される。
これら基板２、すなわち回路基板２ａ，２ｂなどは、水滴や塵などの浸入を防止する防水性および防塵性を確保する必要があり、後述する防水構造１０を適用して防水性（防塵性を含む）を確保する。
回路基板２ａ，２ｂなどには、それぞれの制御や操作に必要な信号の伝送を行うためのコネクタ３ａが設けられる。また、回路基板２ａには、外部の建設機械側の制御部などとの情報の伝送を行うための外部コネクタ３ｂが設けられ、建設機械側のコードが接続される。
なお、基板２に実装するスイッチ類などは、直接基板２に実装する場合に限らず、必要に応じて上ケース（第１のケース）４を介して固定することで強度を確保し、上ケース４に基板２を固定して電気的に接続するように構成しても良い。
【００１２】
コード３は、絶縁被覆された複数本の電線を束ねて構成され、コネクタ３ａを介して基板２同士を接続しており、例えば図４に示すように、回路基板２ａ，２ｂ同士を接続している。
【００１３】
第１のケース４は、表側の上ケース４として構成され、例えばＡＢＳ樹脂（Acrylonitrile  Butadiene  Styrene）からなる樹脂材料で構成される。
上ケース４は、１つの上ケース４として構成され、上ケース４内には、２つの基板２に対応してそれぞれの回路基板２ａ，２ｂなどを収容する２つの収容部４１として収容部４１ａ，４１ｂを備えている（図４，５参照）。
この上ケース４では、紙面（平面視）上下方向に２つの収容部４１ａ，４１ｂが配置されている。上下の２つの収容部４１ａ，４１ｂの間は、距離を隔てて第１のケース４および第２のケース５の外部に通じる空間８を構成する上空間部８ａが形成されている。空間８は、例えば円筒状に形成され、建設機械のメインスイッチとなるシリンダー状の部材  が装着される空間８を構成する。
各収容部４１ａ，４１ｂは、周囲が環状に連続する防水壁部４２で囲まれており、防水壁部４２は、上ケース４の内側から裏側に突き出すリブ状（板状）に形成されている。
防水壁部４２は、収容部４１に収容された基板２同士を接続するコード３を貫通させる貫通部４３が形成され、例えば防水壁部４２の先端側（上ケース４からの突出先端側）が開口した略Ｕ字状の溝として形成してある。貫通部４３は、溝の深さが束ねられたコード３を溝底部に当てるように装着した場合に、溝先端までに余裕（空間）ができるように設定してあり、これにより、コード３の束は、貫通部４３の溝内に完全に収まるようになっている。
上ケース４は、外周部４４に下ケース５との係合連結用の水平な外フランジ部４４ａが形成され、水平な外フランジ部４４ａの内側に垂直に突き出して内周縁部４４ｂが形成されている（図５参照）。
【００１４】
第２のケース５は、裏側の下ケース５として構成され、例えばポリプロピレン (Polypropylene) 樹脂からなる樹脂材料で構成され、上ケース４と対をなして２つの収容部４１を覆う一つの下ケース５を構成する。下ケース５は、上ケース４に対応した形状に形成されている。
下ケース５は、図示省略したが、上ケース４に対応して外周部に上ケース４との係合連結用の垂直に突き出す外周縁部と、外周縁部の内側の水平な内フランジ部が形成される。
これにより、上ケース４と下ケース５を係合する場合に、外周縁部を外フランジ部４４ａに当てるとともに、内周縁部４４ｂを内フランジ部に当て、外周縁部と内周縁部４４ｂとを接触状態とすることで、係合状態にすることができる。
また、下ケース５は、上ケース４の空間８を構成する上空間部８ａに対応して、上下の中間部に距離を隔てた空間８を構成する円筒状の下空間部８ｂが形成されている（図３参照）。
空間８は、上空間部８ａと下空間部８ｂの周囲に、上ケース４と下ケース５と同様に、図示しない内外フランジ部と内外周縁部とが設けられており、係合連結することで、円筒状の空間８を形成して係合状態にすることができる。
【００１５】
ケースの防水構造１０として下ケース５には、各収容部４１の環状の防水壁部４２にそれぞれ対向して断面が各防水壁部４２の先端を覆うように略コの字に形成された防水溝部５１が下ケース５の内側に環状に形成され、それぞれの防水溝部５１の溝幅の中央部に各防水壁部４２の先端部が位置するように対向している（図１，２参照）。
防水溝部５１には、防水材６として、例えば発泡スポンジからなる防水パッキン６ａが防水溝部５１に嵌まり込むように装着される。防水パッキン６ａは、上ケース４と下ケース５を係合することで、貫通部４３部分を除き、防水壁部４２の先端部で押えられて防水溝部５１との間で圧縮され、各収容部４１ａ，４１ｂの水滴などの防水性を確保する。
なお、防水材６は、発泡スポンジに限らず、他の素材であっても良く、発泡剤とする場合には、連続気泡ではなく、独立気泡（単泡）のものであれば良い。防水材６の断面形状なども適宜選定すれば良い。
【００１６】
防水壁部４２の貫通部４３は、コード３を押えるとともに、貫通部４３を塞いで防水壁部４２を連続させるコードカバー７が設けられる。
ここでは、コードカバー７は、図４，５に示すように、例えば紙面の上下に配置された収容部４１ａ，４１ｂに収容された回路基板２ａ，２ｂ同士を接続するコード３に対して適用する場合を例に説明する。
コードカバー７は、例えばＡＢＳ樹脂からなる樹脂材料で構成され、上ケース４の内側に設けられて上ケース４にビスなどで固定される。
コードカバー７は、コード３を押えるカバー部７ａと、防水壁部４２の貫通部４３を塞ぐ防水部７ｂとを備えて構成され、例えば、収容部４１ａ，４１ｂの防水壁部４２の貫通部４３に対して防水部７ｂが設けられる。
カバー部７ａは、コード３を押える部位であり、コード３を覆うようにして押える。
防水部７ｂは、カバー部７ａと一体に形成され、コード３を装着した貫通部４３の防水壁部４２の欠損部を補って連続した防水壁部４２を形成できるようにする部位である。防水部７ｂの先端位置は、上ケース４にビスなどで固定した状態で、防水壁部４２と同一高さとなり、貫通部４３の形状に合わせて平板状であれば平板状に、湾曲状であれば湾曲状に形成される。
これにより、コードカバー７は、コード３を覆うように上ケース４に固定することで、コード３の固定と同時に、防水壁部４２を隙間のない状態で連続させる。
このコードカバー７を設けることで、貫通部４３では、防水部７ｂが下ケース５の防水パッキン６ａが装着された防水溝部５１と対向し、上下ケース４，５を係合することで、防水パッキン６ａを押えて圧縮することができ、貫通部４３のない部分と略同一の防水性を確保することができる。
【００１７】
また、防水壁部４２の貫通部４３に位置するコード３には、コードパッキン９を装着する。コードパッキン９としては、例えばエプトシーラで構成され、コード３に巻き付けて貫通部４３のＵ字状の周囲と開口側の防水部７ｂとの間に圧縮されて密着するように設ける。これにより、貫通部４３の周囲とコード３との隙間が塞がれ、一層確実に防水性を確保することができる。
なお、コードパッキン９の素材は、上記のものに限らず他の素材であっても良く、取り付け方法も巻き付ける場合に限るものでなく、半割状のものを接着などで取り付けるなど適宜選定すれば良い。
【００１８】
コードカバー７は、上ケース４と下ケース５とを係合連結する場合のコード３の噛み込みを防止するためにも利用され、カバー部７ａによって噛み込みを防止する。
コードカバー７は、コード３をカバー部７ａで覆って上ケース４に固定することで、コード３の位置を規定することができ、上下ケース４，５の間に噛み込まれないようにする。
また、上下ケース４，５の組み立て前にコードカバー７でコード３を覆うことで、組み立て作業の際のコード３の状態の確認などを必要とせず、機械的に組み立てることができる。これにより、上下ケース４，５の組立時の作業性を向上すると同時に、コード３の噛み込みによる断線などを防止することもできる。
【００１９】
コードカバー７は、コード３の空間８へのはみ出しを防止するためにも利用される。
スイッチボックス１は、上下ケース４，５の組み立て後、空間８にメインスイッチを構成するシリンダ状の部材が装着される。コード３が空間８にはみ出した状態では、シリンダ状の部材を装着する際に、コード３が干渉する恐れがあり、断線する恐れが生じる。また、はみ出したコード３によってシリンダ状の部材の装着の際の作業性が悪化することになる。
そこで、コードカバー７は、空間８へのコード３のはみ出しが生じない、すなわち下ケース５の組み立て前の上ケース４の上空間部８ａへのコード３のはみ出しが生じないように覆うことができる形状としてある。コードカバー７は、カバー部７ａが上ケース４の内周縁部４４ｂに連続し、空間８の上空間部８ａの内周縁部に連続してこれらの間にコード３を収容できる形状とする。
これにより、例えば紙面上下方向に配置された収容部４１ａ，４１ｂの２つの回路基板２ａ，２ｂを接続するコード３は、２つの収容部４１ａ，４１ｂの間に距離を隔てて外部に通じる空間８が形成されていても、空間８にはみ出さない上下ケース４，５の内側の狭い部分に収容することができる。
コードカバー７は、収容部４１ａと収容部４１ｂとの間の空間８へのコード３のはみ出しを防止することで、上ケース４と下ケース５との組立時の作業性を向上でき、しかもコードの断線を防止することもできる。
また、上下ケース４，５の組み立て後の空間８へのシリンダ状の部材の取り付けの際も、コード３との干渉を考慮することなく取り付け作業を行うことができ、作業性を向上し、取り付け時にコード３の断線を招くこともない。
【００２０】
このように構成したケースの防水構造１０では、上ケース４の各収容部４１ａ，４１ｂにそれぞれ基板２である回路基板２ａ，２ｂなどを収容し、ビスなどで固定する。なお、基板２は、必要に応じて中ケースを介して収容部４１に収容することも行われる。
次いで、回路基板２ａと回路基板２ｂとを接続するコード３の防水壁部４２の貫通部４３に位置する部分にコードパッキン９を巻き付けた後、回路基板２ａ，２ｂ同士を、コネクタ３ａを介してコード３で接続する。
この後、回路基板２ａと回路基板２ｂとを接続しているコード３を覆うようにコードカバー７を上ケース４に取り付ける。
コードカバー７は、カバー部７ａでコード３が上下ケース４，５の係合部に噛み込まれないように押えるとともに、空間８の上空間部８ａにコード３がはみ出さないように覆う。
このコードカバー７の固定状態では、コードカバー７の防水部７ｂが、コード３が貫通している防水壁部４２の貫通部４３を塞いで防水壁部４２を連続すると同時に、コード３に巻き付けたコードパッキン９を押し付けて圧縮する。
これにより、防水壁部４２の貫通部４３とコード３との間の止水性が確保される。
一方、下ケース５では、防水溝部５１に防水材６として防水パッキン６ａを装着しておく。
【００２１】
こうして上ケース４と下ケース５との係合前の準備が完了した後、上ケース４と下ケース５とを嵌め合わせるように組み立てる。
上ケース４と下ケース５とを組み立てると、各収容部４１の防水壁部４２および防水壁部４２の貫通部４３のコードカバー７の防水部７ｂが、下ケース５の防水溝部５１の防水パッキン６ａを押し付けて圧縮する。
また、コード３の貫通部４３では、コードカバー７がコードパッキン９を押えて圧縮する。
【００２２】
このようなケースの防水構造１０によれば、コード３が各基板２を収容する収容部４１の防水壁部４２を貫通した上下ケース４，５であっても防水壁部４２がコードカバー７の防水部７ｂで連続した状態で塞がれるので、防水溝部５１の防水パッキン６ａを防水壁部４２および防水部７ｂで押えて圧縮することで、上下ケース４，５の防水性を確保することができる。
また、コード３の防水壁部４２の貫通部４３もコードカバー７でコードパッキン９を押えて圧縮することで防水性を確保することができる。
さらに、このケースの防水構造１０によれば、コード３をコードカバー７で覆うように押えて上ケース４に固定するので、コード３を上下ケース４，５の係合部に噛み込んだり、はみ出すことを防止でき、上下ケース４，５の組み立て時に邪魔にならず、簡単に組み立てることができ、作業性に優れるとともに、コード３の断線を招くことを防止できる。特に、２つの収容部２ａ，２ｂの間に距離を隔ててケース４，５の外部に通じる空間８が形成される場合であっても、コードカバー７でコード３を押えることで、コード３の空間８へのはみ出しを防止することができ、上下ケース４，５の組み立てが容易にできるとともに、組み立て後の空間８への機器の装着をコード３との干渉などを考慮することなく作業することができ、円滑に作業することができる。
【００２３】
以上、実施の形態とともに、具体的に説明したように、本発明のケースの防水構造１０によれば、２枚以上の基板２と、基板２同士を接続するコード３と、基板２をそれぞれ収容する収容部４１を備える上ケース（第１のケース）４と、上ケース４と対をなして収容部４１を覆う下ケース（第２のケース）５と、上ケース４と下ケース５のいずれか一方に、収容部４１のそれぞれの周囲を囲んで設けられる防水壁部４２と、いずれか他方に設けられ、防水材６が装着され防水壁部４２で押圧して防水する防水溝部５１と、を備え、防水壁部４２に設けられコード３を貫通させる貫通部４３と、貫通部４３に位置するコード３を押えるとともに、貫通部４３を塞いで防水壁部４２を連続させるコードカバー７と、を備えて構成したので、収容部４１に収容した基板２同士を収納部４１の周囲を囲む防水壁部４２を貫通させたコード３で接続しても、コードカバー７でコード３を押えるとともに、防水壁部４２の貫通部４３を塞いで連続させることで、防水状態を確保することができる。また、コード３をコードカバー７で押えることで、上下ケース４，５の組み立ての際に邪魔にならず、コード３を考慮することなく、組み立て作業を行うことができる。
【００２４】
本発明のケースの防水構造１０によれば、コード３は、貫通部４３に位置するコード３の周囲を防水するコードパッキン９を備えているので、貫通部４３に位置するコード３の周囲の防水性を確保することができる。
【００２５】
本発明のケースの防水構造１０によれば、コードカバー７は、上ケース４と下ケース５の組み付けの際のコード３の噛み込みを防止するカバー部７ａを備えているので、コードカバー７のカバー部７ａでコード３を押えることで、コード３の位置を規制することができ、上下ケース４，５の係合の際の噛み込みを防止することができる。これにより、組み込み作業が容易になるとともに、コード３の断線を防止することができる。
【００２６】
本発明のケースの防水構造１０によれば、上ケース４と下ケース５には、収容部４１の間に距離を隔ててケース４，５の外部に通じる空間８が形成され、コードカバー７は、空間８へのコード３のはみ出しを防止するように構成したので、空間８を介して配線されるコード３であってもコードカバー７で押えることで、空間８へのはみ出しを防止することができる。これにより、上下ケース４，５の係合前にコードカバー７でコード３を押えることで、空間８があっても上下ケース４，５の組み立てにコード３が邪魔にならず、コード３を考慮せず組み立て作業を行うことができる。また、空間８にコード３がはみ出すことがないので、空間８への後工程での部品や機器の装着を円滑に行うことができる。
【００２７】
なお、本発明のケースの防水構造１０は、上述した建設機械のスイッチボックス１に適用した場合を例に説明したが、上記実施の形態に限定されるものではなく、他のケースに対する防水構造として同様に適用することができる。また、本発明の要旨を逸脱しない範囲において種々の改良、並びに設計の変更が可能なことは勿論である。
【産業上の利用可能性】
【００２８】
本発明は、ケースの防水構造に関し、例えば、自動車やオートバイ、あるいは農業機械や建設機械を備えた移動体に搭載される車両用の表示装置などに適用することができる。
【符号の説明】
【００２９】
１０      ケースの防水構造
１        スイッチボックス
２        基板
２ａ      回路基板
２ｂ      回路基板
３        コード
３ａ      コネクタ
３ｂ      外部コネクタ
４        上ケース（第の１ケース）
４１      収容部
４１ａ    収容部
４１ｂ    収容部
４２      防水壁部
４３      貫通部
４４      外周部
４４ａ    外フランジ部
４４ｂ    内周縁部
５        下ケース（第２のケース）
５１      防水溝部
６        防水材
６ａ      防水パッキン
７        コードカバー
７ａ      カバー部
７ｂ      防水部
８        空間
８ａ      上空間部
８ｂ      下空間部
９        コードパッキン
【図１】
2019009186.tif 000003
【図２】
2019009186.tif 000004
【図３】
2019009186.tif 000005
【図４】
2019009186.tif 000006
【図５】
2019009186.tif 000007